(57)【特許請求の範囲】
【請求項１】
流体が導入出する繊維強化樹脂製の管体であって、この管体は、周面から流体を導入若しくは導出する導入出部が軸方向に間隔をおいて複数並設されており、前記導入出部は、前記管体の周面に穿設された貫通孔と、この貫通孔に設けられ一端側に鍔部を有する筒体とから成り、この筒体の鍔部と前記管体の内周面との間には、この内周面の湾曲形状に沿った上面形状を有するスペーサーが設けられていることを特徴とする繊維強化樹脂製の管体。
【請求項２】
流体が導入出する繊維強化樹脂製の管体であって、この管体は、周面から流体を導入若しくは導出する導入出部が軸方向に間隔をおいて複数並設されており、また、破壊圧力が４ＭＰａ以上に設定され、前記導入出部は、前記管体の周面に穿設された貫通孔と、この貫通孔に設けられ一端側に鍔部を有する筒体とから成り、この筒体の鍔部と前記管体の内周面との間には、この内周面の湾曲形状に沿った上面形状を有するスペーサーが設けられていることを特徴とする繊維強化樹脂製の管体。
【請求項３】
流体が導入出する繊維強化樹脂製の管体であって、この管体は、周面から流体を導入若しくは導出する導入出部が軸方向に間隔をおいて複数並設されており、また、破壊圧力が２２ＭＰａ以上に設定され、前記導入出部は、前記管体の周面に穿設された貫通孔と、この貫通孔に設けられ一端側に鍔部を有する筒体とから成り、この筒体の鍔部と前記管体の内周面との間には、この内周面の湾曲形状に沿った上面形状を有するスペーサーが設けられていることを特徴とする繊維強化樹脂製の管体。
【請求項４】
請求項１〜３いずれか１項に記載の繊維強化樹脂製の管体において、内径が約４インチ以上であることを特徴とする繊維強化樹脂製の管体。
【請求項５】
請求項１〜４いずれか１項に記載の繊維強化樹脂製の管体において、前記筒体の外周面には、この筒体の外周面と前記貫通孔の内周面との間を封止する第一封止部材が設けられていることを特徴とする繊維強化樹脂製の管体。
【請求項６】
請求項１〜５いずれか１項に記載の繊維強化樹脂製の管体において、前記鍔部の上面と前記スペーサーの底面との間には、この鍔部の上面と前記スペーサーの底面との間を封止する第二封止部材が設けられていることを特徴とする繊維強化樹脂製の管体。
【請求項７】
請求項１〜６いずれか１項に記載の繊維強化樹脂製の管体において、前記スペーサーの上面と前記管体の内周面との間には、このスペーサーの上面と前記管体の内周面との間を封止する第三封止部材が設けられていることを特徴とする繊維強化樹脂製の管体。
【請求項８】
請求項１〜７いずれか１項に記載の繊維強化樹脂製の管体において、前記管体の一端部が閉塞蓋により閉塞されていることを特徴とする繊維強化樹脂製の管体。
【請求項９】
請求項１〜８いずれか１項に記載の繊維強化樹脂製の管体において、前記管体の端部に他の部材と接合される接合部が設けられていることを特徴とする繊維強化樹脂製の管体。
【請求項１０】
請求項９記載の繊維強化樹脂製の管体において、前記管体の端面と対向する接合部の対向面には、この管体の端面と前記接合部の対向面との間を封止する第六封止部材が設けられていることを特徴とする繊維強化樹脂製の管体。
【請求項１１】
請求項１〜１０いずれか１項に記載の繊維強化樹脂製の管体において、前記導入出部は夫々同一周方向位置に設けられていることを特徴とする繊維強化樹脂製の管体。
【請求項１２】
請求項１〜１０いずれか１項に記載の繊維強化樹脂製の管体において、前記導入出部は夫々隣り合う他の導入出部と異なる周方向位置に設けられていることを特徴とする繊維強化樹脂製の管体。
【請求項１３】
請求項１２記載の繊維強化樹脂製の管体において、前記導入出部は夫々隣り合う他の導入出部と９０°若しくは１８０°異なる周方向位置に設けられていることを特徴とする繊維強化樹脂製の管体。
【請求項１４】
流体が導入出する繊維強化樹脂製の管体であって、この管体は、周面から流体を導入若しくは導出する導入出部を有し、この導入出部は、前記管体の周面に穿設された貫通孔と、この貫通孔に設けられ一端側に鍔部を有する筒体とから成り、この筒体の鍔部と前記管体の内周面との間には、この内周面の湾曲形状に沿った上面形状を有するスペーサーが設けられていることを特徴とする繊維強化樹脂製の管体。
【請求項１５】
請求項１〜１４いずれか１項に記載の繊維強化樹脂製の管体において、前記管体は逆浸透法を用いた淡水化処理に使用されるものであることを特徴とする繊維強化樹脂製の管体。
【発明の詳細な説明】
【技術分野】
【０００１】
本発明は、繊維強化樹脂製の管体に関するものである。
【背景技術】
【０００２】
逆浸透法による海水の淡水化プラント設備においては、海水・かん水等を中空糸膜やスパイラル膜を装填した例えば特許文献１に開示されるような圧力容器に導入して圧力を加え、淡水と濃縮海水とに分離する方法を用いるのが一般的である。
【０００３】
この圧力容器は、海水を導入し濃縮海水を導出するため、海水、濃縮海水に接する圧力容器、この圧力容器の端部を閉塞する閉塞蓋及び圧力容器に接続される配管には極めて高い耐腐食性（錆に強い特性）が求められる。
【０００４】
また、海水を淡水化する逆浸透法においては、８００〜１２００ＰＳＩ（５．５〜８．３ＭＰａ）という、通常のコンプレッサーで発生させる圧搾空気１ＭＰａの５．５〜８．３倍の圧力が常時、圧力容器の内部にかかっている。
【０００５】
ところで、海水を淡水化する圧力容器は、ＡＳＭＥ（American Society of Mechanical Engineer）が規定するSection XのQualification Testをクリアしなくてはならない。具体的には、Section XのQualification Testは運転圧力となる８００〜１２００ＰＳＩ（５．５〜８．３ＭＰａ）の圧力の印加および除圧を１０万回繰り返した後、これに圧力を印加をして破壊される際の圧力が、８００〜１２００ＰＳＩ（５．５〜８．３ＭＰａ）の６倍以上の圧力でなければならない。即ち、海水を淡水化する圧力容器は、４８００ＰＳＩ（３３ＭＰａ）以上の耐圧力を有するものでなくてならない。
【０００６】
以上の事情から、圧力容器に接続される配管は、ステンレスの中でもとりわけ秀れた耐食性を有する例えば２５４ＳＭＯ，ＹＵＳ２７０，ＳＡＦ２５０７やＳｕｐｅｒ Ｄｕｐｌｅｘのようなスーパーステンレス製の管体により構築されている。
【０００７】
具体的には、逆浸透法では、Ｖｅｓｓｅｌ（圧力容器）とＲＯエレメントからなるＲＯモジュールとこれらを連結する配管が必要となる。海水淡水化用ＲＯモジュールには通常６．８９５ＭＰａ（１０００ＰＳＩ）相当またはそれ以上の圧力がかかり、これに使われる配管にも６．８９５ＭＰａ（１０００ＰＳＩ）相当またはそれ以上の圧力がかかるため、耐圧力を考慮した設計が必要となる。
【０００８】
例えば図１に図示したようなフレーム体41に複数のＲＯモジュール42を架設し、このＲＯモジュール42の端部に、海水を導入する海水導入管44及び海水を濃縮海水と淡水とに分離した後の当該濃縮海水を導出する濃縮海水導出管45等から成るマニホルド43を設けて海水淡水化装置を構成することになるが、この海水導入管44や濃縮海水導出管45等も圧力容器と同様に例えば２５４ＳＭＯ，ＹＵＳ２７０，ＳＡＦ２５０７やＳｕｐｅｒ Ｄｕｐｌｅｘのようなスーパーステンレス製の管体により構築されている。尚、図中、符号46は淡水を導出する淡水導出管である。
【０００９】
【特許文献１】特許第３６２１０５８号公報
【発明の開示】
【発明が解決しようとする課題】
【００１０】
ところで、上記海水導入管44及び濃縮海水導出管45は、管体の周面に流体の導入出部47（サイドポート）が多数設けられると共に一端が封止された構成であり、このサイドポートを介してフレーム体41に並設されたＲＯモジュール42の各段の端部と夫々接続されて海水を導入したり濃縮海水を導出したりしている。
【００１１】
しかしながら、スーパーステンレス製の管体により構築された配管においては以下のような問題点があることを本発明者等は見い出した。
【００１２】
即ち、スーパーステンレス製の管体にサイドポートを設けるためには、管体の周面に横孔を明け、この横孔にスーパーステンレス製の短管を溶接接合する必要があり、溶接部分から腐食し易いのは勿論、高度な溶接技術が必要となり（通常のステンレス溶接では管体が割れてしまうため、溶接の方法や溶接部位の選定等に高度な技術を要する。）、それだけコスト高となる。また、欠陥が見つかった場合の修理も極めて厄介である。更に、昨今のニッケル、モリブデン及びクロムの高騰から一層コスト高となり、また納入期間が長くなることで海水の淡水化プラント設備の工期の長期化にも影響を及ぼしている。
【００１３】
また、管体の一端を閉塞する場合は、一端部にスーパーステンレス製の閉塞蓋を溶接接合するか若しくは封止蓋（所謂メクラ蓋）が必要であり、溶接接合する場合には、上記同様の問題が生じる。
【００１４】
本発明は、上述の問題点を解決したもので、耐食性に秀れるのは勿論、導入出部や閉塞蓋等を設けるに際し、溶接接合が不要でスーパーステンレス製の管体に比し極めて安価となり、しかも軽量で扱い易い極めて実用性に秀れた繊維強化樹脂製の管体を提供するものである。
【課題を解決するための手段】
【００１５】
添付図面を参照して本発明の要旨を説明する。
【００１６】
流体が導入出する繊維強化樹脂製の管体であって、この管体１は、周面から流体を導入若しくは導出する導入出部２が軸方向に間隔をおいて複数並設されており、前記導入出部２は、前記管体１の周面に穿設された貫通孔４と、この貫通孔４に設けられ一端側に鍔部５を有する筒体６とから成り、この筒体６の鍔部５と前記管体１の内周面１ａとの間には、この内周面１ａの湾曲形状に沿った上面形状を有するスペーサー７が設けられていることを特徴とする繊維強化樹脂製の管体に係るものである。
【００１７】
また、流体が導入出する繊維強化樹脂製の管体であって、この管体１は、周面から流体を導入若しくは導出する導入出部２が軸方向に間隔をおいて複数並設されており、また、破壊圧力が４ＭＰａ以上に設定され、前記導入出部２は、前記管体１の周面に穿設された貫通孔４と、この貫通孔４に設けられ一端側に鍔部５を有する筒体６とから成り、この筒体６の鍔部５と前記管体１の内周面１ａとの間には、この内周面１ａの湾曲形状に沿った上面形状を有するスペーサー７が設けられていることを特徴とする繊維強化樹脂製の管体に係るものである。
【００１８】
また、流体が導入出する繊維強化樹脂製の管体であって、この管体１は、周面から流体を導入若しくは導出する導入出部２が軸方向に間隔をおいて複数並設されており、また、破壊圧力が２２ＭＰａ以上に設定され、前記導入出部２は、前記管体１の周面に穿設された貫通孔４と、この貫通孔４に設けられ一端側に鍔部５を有する筒体６とから成り、この筒体６の鍔部５と前記管体１の内周面１ａとの間には、この内周面１ａの湾曲形状に沿った上面形状を有するスペーサー７が設けられていることを特徴とする繊維強化樹脂製の管体に係るものである。
【００１９】
また、請求項１〜３いずれか１項に記載の繊維強化樹脂製の管体において、内径が約４インチ以上であることを特徴とする繊維強化樹脂製の管体に係るものである。
【００２０】
また、請求項１〜４いずれか１項に記載の繊維強化樹脂製の管体において、前記筒体６の外周面６ａには、この筒体６の外周面６ａと前記貫通孔４の内周面４ａとの間を封止する第一封止部材８が設けられていることを特徴とする繊維強化樹脂製の管体に係るものである。
【００２１】
また、請求項１〜５いずれか１項に記載の繊維強化樹脂製の管体において、前記鍔部５の上面５ａと前記スペーサー７の底面７ａとの間には、この鍔部５の上面５ａと前記スペーサー７の底面７ａとの間を封止する第二封止部材９が設けられていることを特徴とする繊維強化樹脂製の管体に係るものである。
【００２２】
また、請求項１〜６いずれか１項に記載の繊維強化樹脂製の管体において、前記スペーサー７の上面７ｂと前記管体１の内周面１ａとの間には、このスペーサー７の上面７ｂと前記管体１の内周面１ａとの間を封止する第三封止部材10が設けられていることを特徴とする繊維強化樹脂製の管体に係るものである。
【００２３】
また、請求項１〜７いずれか１項に記載の繊維強化樹脂製の管体において、前記管体１の一端部が閉塞蓋13により閉塞されていることを特徴とする繊維強化樹脂製の管体に係るものである。
【００２４】
また、請求項１〜８いずれか１項に記載の繊維強化樹脂製の管体において、前記管体１の端部に他の部材と接合される接合部14が設けられていることを特徴とする繊維強化樹脂製の管体に係るものである。
【００２５】
また、請求項９記載の繊維強化樹脂製の管体において、前記管体１の端面１ｂと対向する接合部14の対向面14ａには、この管体１の端面１ｂと前記接合部14の対向面14ａとの間を封止する第六封止部材15が設けられていることを特徴とする繊維強化樹脂製の管体に係るものである。
【００２６】
また、請求項１〜１０いずれか１項に記載の繊維強化樹脂製の管体において、前記導入出部２は夫々同一周方向位置に設けられていることを特徴とする繊維強化樹脂製の管体に係るものである。
【００２７】
また、請求項１〜１０いずれか１項に記載の繊維強化樹脂製の管体において、前記導入出部２は夫々隣り合う他の導入出部２と異なる周方向位置に設けられていることを特徴とする繊維強化樹脂製の管体に係るものである。
【００２８】
また、請求項１２記載の繊維強化樹脂製の管体において、前記導入出部２は夫々隣り合う他の導入出部２と９０°若しくは１８０°異なる周方向位置に設けられていることを特徴とする繊維強化樹脂製の管体に係るものである。
【００２９】
また、流体が導入出する繊維強化樹脂製の管体であって、この管体１は、周面から流体を導入若しくは導出する導入出部２を有し、この導入出部２は、前記管体１の周面に穿設された貫通孔４と、この貫通孔４に設けられ一端側に鍔部５を有する筒体６とから成り、この筒体６の鍔部５と前記管体１の内周面１ａとの間には、この内周面１ａの湾曲形状に沿った上面形状を有するスペーサー７が設けられていることを特徴とする繊維強化樹脂製の管体に係るものである。
【００３０】
また、請求項１〜１４いずれか１項に記載の繊維強化樹脂製の管体において、前記管体１は逆浸透法を用いた淡水化処理に使用されるものであることを特徴とする繊維強化樹脂製の管体に係るものである。
【発明の効果】
【００３１】
本発明は上述のように構成したから、耐食性に秀れるのは勿論、導入出部や閉塞蓋等を設けるに際し、溶接接合が不要でスーパーステンレス製の管体に比し極めて安価となり、しかも軽量で扱い易い極めて実用性に秀れた繊維強化樹脂製の管体となる。
【発明を実施するための最良の形態】
【００３２】
好適と考える本発明の実施形態を、図面に基づいて本発明の作用を示して簡単に説明する。
【００３３】
繊維強化樹脂製であるから極めて耐食性に秀れ、また、軽量であり、しかもスーパーステンレス製に比し極めて安価に複数の導入出部２（サイドポート）を備えた管体１を製造可能となる。
【００３４】
具体的には、例えば、導入出部２を、管体１の周面に穿設された貫通孔４と、該貫通孔４に設けられ一端側に鍔部５を有する筒体６とで構成し、この筒体６の鍔部５と管体内周面１ａとの間に該内周面１ａの湾曲形状に沿った上面形状を有するスペーサー７を設けたり、導入出部２を、管体１の周面に穿設され管体内部との連通部に凹段部３を有する貫通孔４と、該貫通孔４に設けられ一端側に前記凹段部３と係止する鍔部５を有する筒体６とで構成したりすることで、溶接接合を行う必要なく良好に導入出部２を管体１に設けることができる。
【００３５】
また、管体１の一端部に閉塞蓋13を設ける場合、例えば管体１の内面に凹部17を設け（管体１は繊維強化樹脂製であるからスーパーステンレス製の管体に比し凹部の形成は容易。）、この凹部17に嵌合されるリテイナーリング16に閉塞蓋13をボルト接合することで設けることができ、溶接接合を行う必要なく良好に一端部を閉塞することが可能となる。
【００３６】
また、上述のような閉塞構造及び導入出部２の取付構造を採用することにより、破壊圧力を４ＭＰａ以上に設定することが可能となり、例えばＲＯモジュールに使用される配管に要求される５．５１６ＭＰａ（８００ＰＳＩ）以上の設計圧力を実現可能となり、高い耐食性と相俟って、逆浸透法淡水化装置のみならず他の用途、例えば醤油製造装置等の配管として極めて好適に使用可能なものとなる。
【００３７】
更に、管体１の端部に接合部14を設ける場合、例えば管体１の端部にボルト接合等により設けることができ、溶接接合を行う必要なく良好に接合部14を設けることができる。
【００３８】
従って、高度な溶接技術は不要でそれだけコスト安となり、加えて腐食し易い溶接部分を無くすことができるため、それだけ耐食性に秀れることになり、海水淡水化装置や醤油製造装置等の配管として極めて好適に使用可能なものとなる。
【実施例】
【００３９】
本発明の具体的な実施例について図２〜１２に基づいて説明する。
【００４０】
本実施例は、図２に図示したように、流体が導入出する繊維強化樹脂製の管体であって、該管体１の周面から流体を導入若しくは導出する導入出部２が軸方向に間隔をおいて複数並設されているものである。
【００４１】
本実施例は、公知のフィラメントワインディング法により、エポキシ樹脂とこれらの硬化剤を含む樹脂を含浸したガラス繊維をマンドレルの軸芯方向に対して鋭角度で連続的に必要量を巻回（ヘリカル巻）し、エポキシ樹脂を加熱硬化させ、続いて、マンドレルを脱型することで形成されるものであり、上述したような逆浸透法淡水化装置の配管として用いられるものである。尚、エポキシ樹脂に限らず、ポリエステル樹脂やビニルエステル樹脂等、他の樹脂を用いても良いし、ガラス繊維に限らず、カーボン繊維等、他の繊維を用いても良い。また、フィラメントワインディング法に限らず、ハンドレイアップ法やシートワインディング法等、他の方法を用いて形成しても良い。
【００４２】
各部を具体的に説明する。
【００４３】
管体１の一端部は、管体１の内周面１ａと略同径の繊維強化樹脂製（ＦＲＰ製）の閉塞蓋13を、図３に図示したように管体１の内周面１ａに設けられた凹部17に配設されるＦＲＰ製のリテイナーリング16にボルトで接合することで閉塞されている。図中、符号20は閉塞蓋13と管体１の内周面１ａとの間を閉塞するＯリングである。
【００４４】
尚、凹部17は、単に閉塞蓋13の内周面１ａを切削して凹溝を形成することで設けても良いし、特開２００６−０１５５７３号公報に開示されるような方法を採用しても良い。また、特開２００６−２８１６１９号公報や特開２００６−２８３８７９号公報に開示されるように、予め繊維を巻回する際にマンドレルにリング体等を被嵌せしめておき、このリング体により内周面１ａに凹部17が形成されるようにして設けても良い。
【００４５】
管体１の他端部には、他の部材と接合されるビクトリックジョイント構造の内部流体に適応した材質の接合部14が、接合部14のフランジ部24に形成された貫通孔25を挿通するボルト19により取り付けられている。尚、この他端部は、ボルト19と螺合するネジ穴21を形成するため、やや外径を大にして強度を確保する必要がある。
【００４６】
具体的には、管体１の端面１ｂと対向する接合部14の対向面14ａには凹溝18が設けられ、この凹溝18に、この管体１の端面１ｂと前記接合部14の対向面14ａとの間を封止する第六封止部材15（Ｏリング）が装填されている。尚、管体１の端面１ｂ側に凹溝を設けてＯリングを装填しても良いが、管体１の繊維を切断することになり、それだけ管体１の端部の肉厚を大きくする必要がある。即ち、Ｏリング溝を管体１の端面に設けると、この切断部位が破断の起点となるため、Ｏリング溝は、ジョイント部材側（接合部14）に設ける方が望ましい。
【００４７】
また、導入出部２は夫々同一周方向位置に設けられている。本実施例においては、内径約８インチ、長さ約７２００ｍｍ（接合部14を含めた長さ）の管体１に１２の導入出部２が設けられている。スーパーステンレス製の管体の場合、同様の長さ約７２００ｍｍのものを得るためには、例えば２４００ｍｍ程度の分割体を溶接接合して一体化せしめる必要があるが、フィラメントワインディング法により製造する本実施例は分割体を接合する必要なく、所望の長さの管体を得ることができ、この点からも極めてコスト性に秀れる。
【００４８】
尚、上記構成に限らず、導入出部２は夫々隣り合う他の導入出部２と異なる周方向位置に設けても良い。例えば、１２時と３時の位置に直列して配する（９０°ずつ角度を変える）構成や、１２時と６時の位置に直列して配する（１８０°ずつ角度を変える）構成としても良い。
【００４９】
導入出部２は、図３，４に図示したように、管体１の周面に穿設された貫通孔４と、該貫通孔４に設けられ一端側に鍔部５を有する筒体６とから成り、この筒体６の鍔部５と管体内周面１ａとの間には、この内周面１ａの湾曲形状に沿った上面形状を有するＦＲＰ製のスペーサー７が設けられている。尚、図中、符号23は、筒体６と係止するスナップリング22が係止する段部である。
【００５０】
具体的には、スペーサー７は、図５に図示したように、その上面７ｂが管体１の内周面１ａの凹湾曲形状に沿うように凸湾曲形状とした所謂かまぼこ形状であり、中央には筒体６の胴部が挿通する挿通孔７ｃが設けられている。
【００５１】
従って、（下記別例２−１，別例２−２のように）管体１の内周面１ａに凹段部を形成する必要なく筒体６を鍔部５により抜け止めすることが可能となり、それだけ管体１を肉薄化できることになる。
【００５２】
筒体６の外周面６ａには、この筒体６の外周面６ａと貫通孔４の内周面４ａとの間を封止する第一封止部材８（Ｏリング）が装填されている。従って、この第一封止部材８により筒体６と貫通孔４との間を封止することが可能となる。
【００５３】
また、鍔部５の上面５ａとスペーサー７の底面７ａとの間には、この鍔部５の上面５ａとスペーサー７の底面７ａとの間を封止する第二封止部材９（平パッキン）が設けられている。更に、スペーサー７の上面７ｂと管体１の内周面１ａとの間には、このスペーサー７の上面７ｂと管体１の内周面１ａとの間を封止する第三封止部材10（平パッキン）が設けられている。
【００５４】
従って、仮に内圧による加圧時に貫通孔４が広がり（管体が内圧を受けると、管体全体が膨張する。管体断面で見ると、円の外周が大きくなるような変形をする。）、第一封止部材８が利かなくなった場合でも、内圧によって第二封止部材９及び第三封止部材10が外方に押されることで封止機能は確実に発揮され、それだけシール性の良好なサイドポートとなる。
【００５５】
尚、図６，７に図示した別例１のように、平パッキンではなくＯリングから成る第二封止部材９’及び第三封止部材10’を採用しても良い。具体的には、スペーサー７の挿通孔７ｃの下端開口周縁部７ｄを面取りすると共にスペーサー７の上面７ｂにＯリング配設溝７ｄを形成し、この下端開口周縁部７ｄの面取り部分及びＯリング配設溝７ｅにＯリング９’・10’を夫々配設しても良い。
【００５６】
また、本実施例は上述のように構成しているが、図８に図示した別例２−１のように、例えば、導入出部２は、管体１の周面に穿設され管体内部との連通部に凹段部３を有する貫通孔４と、該貫通孔４に設けられ一端側に前記凹段部３と係止する鍔部５を有する筒体６とで構成しても良い。この場合、筒体６の外周面６ａに、この筒体６の外周面６ａと前記貫通孔４の内周面４ａとの間を封止する第四封止部材11（Ｏリング）を設け、また、鍔部５の上面５ａと、この鍔部５の上面５ａと対向する前記凹段部３の底面３ａとの間に、この鍔部５の上面５ａと凹段部３の底面３ａとの間を封止する第五封止部材12（平パッキン）を設けると良い。また、第五封止部材12は、図９に図示した別例２−２ように、鍔部５の周面５ｂと凹段部３の周面３ｂとの間に設けても良い。
【００５７】
ところで、図１に図示したような海水淡水化装置においては、圧力容器の長さ方向一端部側にある海水導入管44から海水を導入し、圧力容器内に内装された逆浸透膜によって１０００ＰＳＩ（６．９ＭＰａ）の圧力下で海水が濃縮海水と淡水とに分離する。濃縮海水は圧力容器の長さ方向他端部側にある濃縮海水排出管45から排出され、淡水は圧力容器の長さ方向両端部（閉塞蓋）に配された淡水導出管46から取り出される。
【００５８】
従って、逆浸透膜を洗浄する等のメンテナンスをする場合や２系列の海水淡水化設備を交互に運転する場合には、１０００ＰＳＩ（６．９ＭＰａ）を除圧する必要がある。即ち、０ＰＳＩ（０ＭＰａ：除圧時）と１０００ＰＳＩ（６．９ＭＰａ：運転時）の圧力サイクルが繰り返されることになる。また、圧力容器に接続される海水導入管44等の他の配管に対しても同様の圧力サイクルが繰り返されることになる。
【００５９】
この圧力サイクルに伴い、ＦＲＰ製の管体１に取り付けられ導入出部２を形成するスーパーステンレス製の筒体６は、圧力印加時にはＦＲＰ製の管体の内壁側に押圧され、除圧時にはこの押圧が開放される。従って、筒体６のシール部分には押圧・除圧による擦れが発生する。
【００６０】
この際、上記別例２−１及び別例２−２のように、管体１の周面に穿設され管体内部との連通部に凹段部３を有する貫通孔４を設け、この貫通孔４に筒体６を配設した場合、筒体６の鍔部５が管体１の内径側に突出しにくく、凹段部３で鍔部５が固定されるため、圧力印加・除圧の繰り返し時のシール部分への擦れが少なくなるというメリットがあるが、ＦＲＰ製の管体１に凹段部３を有する貫通孔４を設けるため、管体長軸に対して９０°の位置（管体長軸方向を１２時・６時の位置とした時、３時・９時の位置）にＦＲＰ製の管体１の厚さを大きく削る部分が存在することになり、圧力に対して弱くなった当該部分を補償するために、管体１にして筒体６が設けられる部位の肉厚を厚くするという工夫が必要となる。
【００６１】
ところが、圧力容器に接続される海水導入管44等の配管は、内部に逆浸透膜を装填する必要がなく、海水若しくは濃縮海水を導入出する機能があれば良い。これらの配管に設けられる筒体６の鍔部５は、内径側に突出しても実用上問題は起こらない。即ち、これらの配管に上記凹段部３を有する貫通孔４を設けて管体１内部に筒体６の鍔部５を突出させないようにすることもできるが、この方法では、上述したように筒体６を設ける部位の肉厚を厚くするという複雑な工程を必要とする（フィラメントワインディング時に一部の部位だけを局所的に厚くするのは厄介。）。
【００６２】
また、筒体６の鍔部５が管体１の内径側に突出すると、圧力容器と同様に筒体６の側部の第一封止部材８（Ｏリング）によるシールと、管体１の外面で筒体６を固定するスナップリング22（Ｃ型止め輪）による固定では、筒体６の鍔部５は管体内壁の３時と９時の位置で管体内壁に接触するが、それ以外の部位は管体１のどの部分にも接触しない。このような形態であると、圧力の印加・除圧のサイクルにより筒体全体が膨張し、Ｏリング部位の変形を生じ、Ｏリング部位の擦れが大きくなる。Ｏリング部位の擦れが繰り返されると、その部分の海水のシール性が損なわれ、水漏れが生じてしまう。
【００６３】
そこで、筒体６の鍔部５と管体内壁との接触性を改善するため、かまぼこ形状の上記スペーサー７を設けている。更に、スペーサー７の管体１の内周面１ａの凹湾曲形状に沿うような凸湾曲形状に形成された上面７ｂと、底面７ａに平パッキン（若しくはＯリング）を設け、筒体６、管体１及びスペーサー７をシールしている。これにより、圧力の印加・除圧のサイクルに対してＯリング部位の擦れを軽減でき、水漏れの発生をなくすことが可能となる。平パッキンを用いる場合はスペーサー７に複雑な加工を施す必要はないが、Ｏリングを用いる場合はスペーサーにＯリング配設溝を形成する必要がある。尚、平パッキンを用いた場合は、１万サイクルの圧力印加・除圧に耐えることができ、Ｏリングを用いた場合は、１０万サイクルの圧力印加・除圧に耐えることができることを確認している。
【００６４】
尚、本実施例は上述のように複数の導入出部２を設けた構成について説明しているが、単一の導入出部２を設ける構成としても良い。
【００６５】
また、管体１には、この管体１の長さ方向に凸条部26が所定間隔で複数設けられている。この凸条部26の一端側には管体１の長さ方向に対して垂直な垂直面26ａが設けられ、他端側にはテーパ面26ｂが設けられている。本実施例においては、管体１を垂直なフレーム27（支持躯体）に垂直状態で取り付けることを想定し、垂直面26ａを下側に、テーパ面26ｂを上側に設けている。従って、図１０に図示したように、垂直面26ａと係止するＵ字状のバンド体28をフレーム27にボルト29等で固定することで、管体１をフレーム27に堅固に支持することが可能となる。
【００６６】
尚、凸条部26は、管体１と同時にフィラメントワインディング法により一体成形しても良いし、管体１を成形した後、（管体１と同材料若しくは異材料を）後付けしても良い。管体１と同時に一体成形した場合には、管体１と一体化するため剥離し難く極めて強度に秀れ、それだけ良好に管体１をフレーム27に支持することが可能となる。
【００６７】
また、例えば図１１に図示したように水平に取り付ける場合等を想定し、凸条部26をその垂直面26ａ同士が向かい合うように一対ずつ所定間隔で複数対設ける構成としても良い。この場合には、垂直面26ａ同士が向かい合う一対の凸条部26間に各垂直面26ａと係止するＵ字状のバンド体28を設け、このバンド体28を（垂直若しくは水平な）フレーム27に固定することで、管体１がウォーターハンマー（水撃作用）等による衝撃を受けても管体１を堅固に支持することが可能となる。
【００６８】
また、本実施例は、管体１の閉塞構造として上述のような閉塞蓋13等による閉塞構造を採用しているが、これ以外の閉塞構造を採用しても良い。また、本実施例は、管体１の接合構造として上述のような接合部14による接合構造を採用しているが、これ以外の接合構造を採用しても良い。
【００６９】
本実施例は上述のように構成したから、繊維強化樹脂製であるから極めて耐食性に秀れ、また、軽量であり、しかもスーパーステンレス製に比し極めて安価に複数の導入出部２（サイドポート）を備えた管体１を製造可能となる。
【００７０】
即ち、導入出部２は、管体１の周面に穿設された貫通孔４と、該貫通孔４に設けられ一端側に鍔部５を有する筒体６とで構成し、この筒体６の鍔部５と管体内周面１ａとの間に該内周面１ａの湾曲形状に沿った上面形状を有するスペーサー７を設けることで、溶接接合を行う必要なく良好に導入出部２を管体１に設けることができる。
【００７１】
また、筒体６の抜け止めに際し、管体１の内周面１ａを切削する必要がなくなり、それだけ管体１の厚さを薄くすることができ、一層安価且つ軽量とすることが可能となる。
【００７２】
また、閉塞蓋13は、管体１の内面に凹部17を設け、この凹部17に嵌合されるリテイナーリング16に閉塞蓋13をボルト接合することで設けることができ、溶接接合を行う必要なく良好に一端部を閉塞することが可能となる。
【００７３】
この凹部17，リテイナーリング16及び閉塞蓋13による閉塞構造により、破壊圧力を２２ＭＰａ以上、具体的には海水淡水化用途として用いる際に満たす必要がある最低の破壊圧力である２７．５８ＭＰａ以上に設定することが可能となり、従って、５．５１６ＭＰａ（８００ＰＳＩ）以上の設計圧力を実現可能となり、高い耐食性と相俟って、海水淡水化装置のみならず他の用途、例えば醤油製造装置等の配管として極めて好適に使用可能なものとなる。
【００７４】
更に、接合部14は、管体１の他端部にボルト接合により設けることができ、溶接接合を行う必要なく良好に接合部14を設けることができる。この部位はＯリングが装てんされているために、管体が圧力を受けても、管体内部に流れる流体（海水や濃縮海水）が漏れることのないシール性の良好な配管機構となる。加えて、この部位だけの交換が可能となる（溶接していれば、溶断するか、管体全体を全て交換しなくてはならない。）。
【００７５】
また、各接合部分に封止部材を設けることで、溶接接合をする必要なく、良好な封止性を発揮することが可能となり、溶接部分から腐食することがない分、スーパーステンレス製の管体に比し耐食性に秀れることになる。
【００７６】
従って、本実施例は、耐食性に秀れるのは勿論、導入出部，閉塞蓋，接合部を設けるに際し、溶接接合が不要でスーパーステンレス製の管体に比し極めて安価且つ軽量で扱い易い極めて実用性に秀れたものとなる。
【００７７】
本実施例の効果を裏付ける実験例について説明する。
【００７８】
図１２に図示したように実験例１〜５は、Ａ、ＢおよびＣの３つの要求条件となる、Ａは接合部の接合構造、Ｂは閉塞蓋による閉塞構造、Ｃは導入出部の構造を全て加味した試作品のバースト（破壊）試験結果を表している。各実験例は以下に示す要因を特化し、各条件を変化させて破壊圧力（Ｂｕｒｓｔ  Ｐｒｅｓｓｕｒｅ）の変化を調べた。尚、規格値は海水淡水化装置に用いる際に満たす必要がある最低の破壊圧力２７.５８ＭＰａ（４０００ＰＳＩ）の値としている。
【００７９】
実験例１：フィラメントワインディング管体１そのものの肉厚を厚くした場合
【００８０】
実験例２：フランジ部24の厚さを実験例１より薄くし、リテイナーリング凹部17から管
体１の端部までの長さを実験例１より短くした場合
【００８１】
実験例３：実験例２の導入出部２の周囲にフープ巻きをし、この周囲の破壊圧力の向上
を図った場合
【００８２】
実験例４：フィラメントワインディング管体１そのものの肉厚を実験例３より薄くし、
導入出部２の筒体６のシーリング方法を第一封止部材８（Ｏリング）と第二
封止部材９、第三封止部材10（平パッキン）を組み合わせ、更に、湾曲形状
に沿った上面形状を有するスペーサー７を設けた場合
【００８３】
実験例５：実験例４よりフィラメントワインディング管体１そのものの肉厚を厚くする
一方、導入出部２の周囲のフープ巻きをなくした場合
【００８４】
実験例１〜３は、上記別例のように貫通孔に凹段部を設けた場合であり、実験例１，２の比較から、貫通孔の凹段部の形状が破壊圧力に影響することが確認できた。また、実験例２，３の比較から、凹段部が弱い形状であっても、肉厚を厚くし、フープ層で補強することで規格値を満たすことが可能であることが確認できた。
【００８５】
実験例４，５は上記本実施例のようにスペーサーを設けた場合であり、いずれの形状であっても規格値を満たすことが確認できた。
【００８６】
また、実験例１〜３と実験例４，５との比較から、スペーサーを設けた場合、即ち、管体の内周面を切削しない場合には、より肉薄で良好な破壊圧力を得られることが確認できた。
【図面の簡単な説明】
【００８７】
【図１】海水淡水化装置の一例を示す概略説明斜視図である。
【図２】本実施例の概略説明斜視図である。
【図３】本実施例の拡大概略説明縦断面図である。
【図４】本実施例の拡大概略説明横断面図である。
【図５】本実施例のスペーサーの概略説明斜視図である。
【図６】別例１の拡大概略説明横断面図である。
【図７】別例１のスペーサーの概略説明斜視図である。
【図８】別例２−１の拡大概略説明横断面図である。
【図９】別例２−２の拡大概略説明横断面図である。
【図１０】本実施例の概略説明斜視図である。
【図１１】別例３の概略説明斜視図である。
【図１２】実験条件及び実験結果を示す表である。
【符号の説明】
【００８８】
１  管体
１ａ  内周面
１ｂ 端面
２  導入出部
３  凹段部
３ａ  底面
４  貫通孔
４ａ  内周面
５  鍔部
５ａ  上面
６  筒体
６ａ  外周面
７  スペーサー
７ａ  底面
７ｂ  上面
８  第一封止部材
９  第二封止部材
10  第三封止部材
11  第四封止部材
12  第五封止部材
13  閉塞蓋
14  接合部
14ａ  対向面
15  第六封止部材
【図１】
0004959625.tif 000002
【図２】
0004959625.tif 000003
【図３】
0004959625.tif 000004
【図４】
0004959625.tif 000005
【図５】
0004959625.tif 000006
【図６】
0004959625.tif 000007
【図７】
0004959625.tif 000008
【図８】
0004959625.tif 000009
【図９】
0004959625.tif 000010
【図１０】
0004959625.tif 000011
【図１１】
0004959625.tif 000012
【図１２】
0004959625.tif 000013